(57)【要約】      （修正有）【課題】食品と飲料との両方を片手又は片腕で運ぶことができ、ユーザの快適さを改善できる食品コンテナを提供する。【解決手段】複数の側壁の組と下部支持面と、カップ９を受けるように設けられた付属部２と、を有する、飲料用の支持部１１を備えた食品コンテナ１であり、付属部２は、カップ９を挿入する孔７を備えた支持部１１と、付属部をコンテナの側壁の一つに固定するタブと、を順に含んでいる。タブは、支持部１１から延在し、支持部が折り畳まれる又は展開される折り畳み線によって画成されている。【選択図】図３
0003202643.tif 000002
【実用新案登録請求の範囲】
【請求項１】
飲料用の支持部を備えた食品コンテナであって、複数の側壁の組と下部支持面とを含み、
前記食品コンテナは、カップを受けるように設けられた付属部を有し、
前記付属部は、
前記カップを挿入する孔を備えた前記支持部と、
前記付属部を前記コンテナの側壁の一つに固定するタブと、
を順に含み、
前記タブは、前記支持部から延在し、前記支持部が折り畳まれる又は展開される折り畳み線によって画成されている、
飲料用の支持部を備えた食品コンテナ。
【請求項２】
前記支持部の前記孔は、中央に位置する、請求項１に記載の飲料用の支持部を備えた食品コンテナ。
【請求項３】
前記側壁の一つは、前記タブが挿入され、前記コンテナの前記側壁の内面に固定される、スロットを有し、前記スロットは、前記下部支持面の上に位置するように所定の高さに配置される、請求項１又は２に記載の飲料用の支持部を備えた食品コンテナ。
【請求項４】
前記スロットは、前記コンテナの前記側壁の一つの頂部、中間、又は、底部に位置する、請求項３に記載の飲料用の支持部を備えた食品コンテナ。
【請求項５】
前記タブは、前記コンテナの前記側壁の一つの外面に固定されている、請求項１又は２に記載の飲料用の支持部を備えた食品コンテナ。
【請求項６】
前記タブは、前記コンテナの前記側壁の一つの前記外面の頂部、中間、又は、底部に固定されている、請求項５に記載の飲料用の支持部を備えた食品コンテナ。
【請求項７】
前記孔は、閉じた打ち抜き線上をプレスして形成されている、請求項４又は６に記載の飲料用の支持部を備えた食品コンテナ。
【請求項８】
前記孔は、引き裂いてカップを挿入できる紙の透明シートで覆われている、請求項４又は６に記載の飲料用の支持部を備えた食品コンテナ。
【請求項９】
前記孔は、工業的に製造されている、請求項４又は６に記載の飲料用の支持部を備えた食品コンテナ。
【請求項１０】
前記支持部は、折り畳み線で折り畳まれ、それが固定される前記コンテナの前記側壁の前記外面の一つに対して水平に横たわるように構成されている、請求項７から９のいずれか一項に記載の飲料用の支持部を備えた食品コンテナ。
【考案の詳細な説明】
【技術分野】
【０００１】
本考案の対象は、カップを支持するための特別な付属部を備えた食品コンテナに関する。カップと食品とを同じコンテナで保持するので、消費者は、片手又は片腕で食品及び飲料の両方を一緒に運ぶことができる。
【０００２】
それは、ホームユースだけでなく食品産業、特に、ホテル、配膳業における特定の用途に有用である。
【背景技術】
【０００３】
最近は、ファーストフードレストラン、映画館、劇場、コンサート等の特定の場所で素早く食べるように用意又は提供された食品を食べる人を見かけることが増えている。
【０００４】
消費者がこれらの場所の一つに行き、食品及び飲料の複数のものを買って、２本の手だけでは何でも運べず、何でも一緒に運ぶ難しさのために食品及び飲料を落とすというリスクを負うという問題に直面することがよくある。そのため、消費者は、その腕と身体とを使って同じ時間で何でも運ぶように苦労しなければならない。
【考案の概要】
【考案が解決しようとする課題】
【０００５】
本考案の対象によれば、カップを保持する特別の付属部を有する食品コンテナを導入することによって上記課題を解決できる。
【０００６】
そこで、本考案によれば、食品と飲料との両方を一緒に運ぶために用いられる食品コンテナによって、上記課題を解決することができ、ユーザの快適さを改善できる。
【課題を解決するための手段】
【０００７】
本考案は、複数の側壁の組と下部支持面とを有する、飲料用の支持部を備えた食品コンテナに関する。
前記コンテナは、さらに、カップを受けるように設けられた付属部を有し、
前記付属部は、
前記カップを挿入する孔を備えた前記支持部と、
前記付属部を前記コンテナの前記側壁の一つに固定するタブと、
を順に含み、
前記タブは、前記支持部から延在し、前記支持部が折り畳まれる又は展開される折り畳み線によって画成されている。
【０００８】
前記支持部は、折り畳み線で折り畳まれ、それが固定される前記コンテナの前記側壁の外面の一つに対して水平に横たわるように構成されている。
【０００９】
第１の態様によれば、前記側壁の一つは、底部、中間、又は、頂部に位置するスロットを有し、前記スロットは、前記下部支持面より上に配置される。
【００１０】
前記付属部の前記タブは、前記付属部を前記コンテナに固定するために、前記コンテナの前記側壁の一つの前記内面に向かって前記スロットに挿入されている。
【００１１】
第２の態様によれば、前記タブを前記コンテナの前記側壁の一つの前記外面に固定することによって、前記付属部が前記コンテナに固定されている。
【００１２】
前記タブは、前記コンテナの前記側壁の一つの前記外面の底部、中間、又は、頂部に固定されている。
【００１３】
前記支持部の前記孔を設ける方法として、閉じた打ち抜き線によって孔を画成する方法、紙の透明シートによって孔を覆う方法、前記孔を工業的に形成する方法、を含む様々な方法がある。
【図面の簡単な説明】
【００１４】
【図１】折り畳まれた付属部である支持部を備えた本考案の実施の形態１に係るコンテナに関し、コンテナは、付属部のタブが挿入され、コンテナの側壁の内面に接着された、スロットを含む。
【図２ａ】展開された付属部の支持部を備えた図１のコンテナに関する。
【図２ｂ】付属部がコンテナの側壁の外面に固定された特別の特徴を有し、スロットを必要としない、図２ａと同様の実施の形態に関する。
【図３】カップを含み、片手で持ち、もう一方の手でコンテナを持つ必要がない本考案の利用イメージを示す。
【考案を実施するための形態】
【００１５】
記載を完成するために、そして本考案の特徴のよりよい理解を得るために、この記載には、以下に示されるように説明を目的として、限定するものではなく、出願の一部をなす一連の図面が添付されている。
【００１６】
図１に示すように、イメージでは、飲料用の支持部（１１）を備えた食品コンテナ（１）を描いており、複数の側壁（１０）の組と、アイスを有するカップ（９）又はボトル等のその他の物を受けるように設けられた追加の付属部（２）を有する下部支持面（５）と、を備え、コンテナの側壁の外面（４）の一つに対して折り畳まれるので、折り畳む際に場所をとらない。
【００１７】
この食品コンテナ（１）によれば、レストランで食べる、又は、持ち帰るために、ポテトチップ、ポテトフライ、ポップコーン、又は他のタイプのファーストフード等の食品を運ぶことができる。
【００１８】
コンテナ（１）は厚紙で作られており、角で折り畳まれているので、このタイプのコンテナ（１）は、通常の方法で作られる。明らかなように、コンテナ（１）は、任意の形状を有してもよく、任意の材料で作ってもよい。
【００１９】
図３は、ユーザが、片手を使って、その上コンテナ（１）を持つことなく、普通、より重い部材であるプラスチックカップ（９）をどのように保持するかを示している。
【００２０】
さらに、この種の食品は、普通、ストロー付きのカップ側に沿って提供されるので、ユーザが飲料をこぼさずに飲むことができる。
【００２１】
付属部（２）は、
カップ（９）を挿入する孔（７）を備えた支持部（１１）と、
付属部（２）をコンテナの側壁（１０）の一つに固定するタブ（８）と、
を含み、
タブ（８）は、支持部（１１）から延在し、支持部（１１）が折り畳まれる又は展開される折り畳み線によって画成されている。
【００２２】
孔（７）は、カップ（９）の形状に適用できるように、多数の異なる幾何学的形状、例えば、円形状、多角形形状等で設けられていてもよい。
【００２３】
普通に売られている飲料のタイプは、円錐形の円筒形状のカップ（９）で売られているので、好ましい特徴は円形の孔である。
【００２４】
好ましい特徴において、カップ（９）が付属部の安定性を脅かすことがないように、支持部（１１）との関係で、孔（７）は中央に配置されているが、別の実施形態では、支持部（１１）との関係で、孔（７）は中央以外の位置に配置してもよい。
【００２５】
第１の実施形態によれば、側壁（１０）の一つは、それが下部支持面（５）の上に位置するように、所定高さに配置された小さいスロット（６）を有する。
【００２６】
タブ（８）は、コンテナの側壁の一つの内面（３）に向かって上記スロット（６）に挿入されている。
【００２７】
スロット（６）がコンテナ（１）の側壁（１０）の一つの中間、頂部又は底部に位置してもよいので、スロット（６）を配置する方法は、使用されるコンテナ（１）のタイプに依存し、そのため、スロット（６）は、下部支持面（５）と平行に設定される。
【００２８】
標準より大きなサイズのカップ（９）を運ぶことが必要な場合、又は、２以上のカップ（９）を運ぶことが必要な場合には、コンテナの側壁（１０）にさらにスロット（６）を追加してもよい。
【００２９】
第２の実施形態によれば、コンテナの側壁の一つの外面（４）に固定されたタブ（８）によって付属部（２）をコンテナ（１）に固定する。最適で可能な方法で固定するように、コンテナ（１）の側壁（１０）の中間、頂部、又は、底部の異なる高さで付属部を固定できる。
【００３０】
両方の実施形態において、孔（７）を設ける様々な方法があり、コンテナ（１）の閉じた打ち抜き線上に指を押しつけて孔を形成するか、又は、孔を紙の透明シート又はその他の材料で覆っておき、それによって該透明紙は容易に除去でき、又は、孔（７）を工業的に形成する。
【００３１】
食品と共に飲料を持ってこない場合には、支持部（１１）は折り畳んだ構成のままでよい。
【００３２】
タブ（８）は、接着し、固めて、又は、他の既知の方法でコンテナ（１）に取り付けられている
【００３３】
カップ（９）を保持する方法によって、コンテナ（１）を保持する方法が決まる。
【００３４】
本考案は、ここに記載された実施形態によって制限されない。本明細書の技術分野の熟練者によって他の実施の形態を行ってもよい。結果として、本考案の保護範囲は、実用新案登録請求の範囲によって画定される。
【００３５】
図面に表され、本考案を含む様々な部材のリストを以下に示す。
【符号の説明】
【００３６】
１  コンテナ
２  付属部（アクセサリ）
３  コンテナの側壁の内面
４  コンテナの側壁の外面
５  下部支持面
６  スロット
７  孔
８  タブ
９  カップ
１０  側壁
１１  支持部
【図１】
0003202643.tif 000003
【図２ａ】
0003202643.tif 000004
【図２ｂ】
0003202643.tif 000005
【図３】
0003202643.tif 000006